(57)【特許請求の範囲】
【請求項１】
診断サンプルが移動する流動チャンネルが形成された診断チップ；
前記流動チャンネルの一端部を開閉することによって前記診断サンプルの移動を調節する診断サンプル移動調節部；
前記診断サンプルの光情報を検出する光情報検出部；及び
前記診断サンプル移動調節部及び前記光情報検出部の駆動を制御する制御部；を含み、
前記光情報検出部は、
前記診断サンプルに光を照射する光源部；及び
前記診断サンプルから検出される光情報をセンシングするセンシング部；を含み、
前記診断サンプル移動調節部は前記光情報検出部と連動し、
前記診断サンプル移動調節部の駆動によって前記診断チップと前記光情報検出部とが相対運動をすることによって、前記光情報検出部は、前記流動チャンネルを移動する診断サンプルの光情報を検出することを特徴とする診断キット。
【請求項２】
前記診断サンプル移動調節部の駆動によって、前記光情報検出部は、前記制御部の制御によって移動することによって前記診断チップと相対運動をすることを特徴とする、請求項１に記載の診断キット。
【請求項３】
前記診断チップを移動させる診断チップ移動調節部をさらに含み、
前記診断チップと前記光情報検出部との相対運動は、前記診断チップ移動調節部と前記診断サンプル移動調節部とが連動することによって行われることを特徴とする、請求項１に記載の診断キット。
【請求項４】
前記診断サンプル移動調節部の駆動によって、前記診断チップ移動調節部は、前記制御部によって駆動し、前記診断チップを移動させることによって前記診断チップと前記光情報検出部とが相対運動をすることを特徴とする、請求項３に記載の診断キット。
【請求項５】
前記診断サンプル移動調節部の駆動によって、前記光情報検出部と前記診断チップ移動調節部は前記制御部によって同時に駆動し、前記診断チップ及び前記光情報検出部の移動が制御されることによって前記診断チップと前記光情報検出部とが相対運動をすることを特徴とする、請求項３に記載の診断キット。
【請求項６】
前記診断チップは、
上部プレート及び下部プレートを含み、内部に前記流動チャンネルが形成された診断チップハウジング；
前記上部プレート上に形成され、前記流動チャンネルの他端と連結され、前記診断サンプルが投入される診断サンプル投入口；
前記流動チャンネルの第１領域上に配置され、前記診断サンプル投入口から移動する前記診断サンプルを前処理する物質が形成された前処理部；
前記流動チャンネルの第２領域上に配置され、前記第１領域から移動する前記診断サンプルをテストする物質が形成されたテスト部；及び
前記流動チャンネルの第３領域上に配置され、前記第２領域から移動する前記診断サンプルのレファレンス物質が形成されたレファレンス部；を含むことを特徴とする、請求項１に記載の診断キット。
【請求項７】
前記診断サンプル移動調節部が前記流動チャンネルの一端部を開放させ、前記診断サンプルが移動することによって、前記診断チップ移動調節部及び前記光情報検出部のうち少なくとも一つが駆動し、前記診断チップ及び前記光情報検出部のうち少なくとも一つが移動すると同時に、前記光源部及び前記センシング部が前記診断サンプルに光を照射し、前記診断サンプルの光情報をセンシングすることもでき、
前記診断サンプル移動調節部が前記流動チャンネルの一端部を一定時間間隔で開放及び閉鎖することによって前記診断チップ移動調節部及び前記光情報検出部のうち少なくとも一つが駆動し、前記診断サンプルの位置によって前記診断チップ及び前記光情報検出部のうち少なくとも一つが移動及び停止し、前記光源部及び前記センシング部が前記診断サンプル及び前記診断チップの停止状態で前記診断サンプルに光を照射し、前記診断サンプルの光情報をセンシングすることもできることを特徴とする、請求項３に記載の診断キット。
【請求項８】
前記制御部は、前記診断サンプル移動調節部の駆動を一定時間ごとに制御することによって前記診断サンプルの移動を調節することを特徴とする、請求項３に記載の診断キット。
【請求項９】
前記制御部に前記診断サンプルの移動進行速度データが既格納されており、
前記制御部は、前記移動進行速度データに基づいて前記診断サンプル移動調節部の駆動、及び前記診断チップ移動調節部及び前記光情報検出部のうち少なくともいずれか一つの駆動を一定時間ごとに制御することによって前記診断サンプル及び前記診断チップの移動を調節することを特徴とする、請求項８に記載の診断キット。
【請求項１０】
前記制御部は、前記センシング部で獲得した前記診断サンプルの光情報を基準にして前記診断サンプル移動調節部の駆動、及び前記診断チップ移動調節部及び前記光情報検出部のうち少なくともいずれか一つの駆動を制御することによって前記診断サンプル及び前記診断チップの移動を調節することを特徴とする、請求項８に記載の診断キット。
【請求項１１】
前記診断サンプルの移動イメージを確認するイメージ確認部をさらに含み、
前記制御部は、前記イメージ確認部を通じて確認した前記診断サンプルの移動によって前記診断サンプル移動調節部の駆動、及び前記診断チップ移動調節部及び前記光情報検出部のうち少なくともいずれか一つの駆動を制御することによって前記診断サンプル及び前記診断チップの移動を調節することを特徴とする、請求項８に記載の診断キット。
【請求項１２】
診断サンプル投入口を介して診断チップに形成された流動チャンネルに診断サンプルが投入される診断サンプル投入段階；
前記診断サンプルが前記流動チャンネルに沿って移動する診断サンプル移動段階；
前記診断サンプルの移動によって前記診断サンプルの光情報を検出する光情報検出部と前記診断チップとが相対運動をし、前記診断サンプルの光情報検出位置を調整する検出位置調整段階；及び
前記光情報検出部が前記診断サンプルの光情報を検出する光情報検出段階；を含み、
前記光情報検出段階は、
光源部が前記診断サンプルに光を照射する光照射段階；及び
センシング部が前記診断サンプルから検出される光情報をセンシングする光情報センシング段階；を含み、
前記診断サンプル移動段階及び前記検出位置調整段階は制御部によって行われ、
前記診断サンプル移動段階で、前記診断サンプルの移動は、前記流動チャンネルの一端部を開閉する診断サンプル移動調節部によって調節され、
前記検出位置調整段階で、前記光情報検出部は、前記診断サンプル移動調節部と連動し、前記診断サンプル移動調節部の駆動によって制御されることを特徴とする診断キットの制御方法。
【請求項１３】
前記検出位置調整段階で、前記光情報検出部は、前記診断サンプル移動調節部の駆動による前記制御部の制御によって移動することによって前記診断チップと相対運動をすることを特徴とする、請求項１２に記載の診断キットの制御方法。
【請求項１４】
前記検出位置調整段階は、前記診断チップを移動させる診断チップ移動調節部が前記診断チップを移動させる診断チップ移動段階を含み、
前記検出位置調整段階で、前記診断チップと前記光情報検出部との相対運動は、前記診断チップ移動調節部と前記診断サンプル移動調節部とが連動することによって行われることを特徴とする、請求項１２に記載の診断キットの制御方法。
【請求項１５】
前記検出位置調整段階で、前記診断チップ移動調節部は、前記診断サンプル移動調節部の駆動による前記制御部の制御によって駆動し、前記診断チップを移動させることによって前記診断チップと前記光情報検出部とが相対運動をすることを特徴とする、請求項１４に記載の診断キットの制御方法。
【請求項１６】
前記検出位置調整段階で、前記光情報検出部と前記診断チップ移動調節部は、前記診断サンプル移動調節部の駆動による前記制御部の制御によって同時に駆動し、前記診断チップ及び前記光情報検出部の移動が制御されることによって前記診断チップと前記光情報検出部とが相対運動をすることを特徴とする、請求項１４に記載の診断キットの制御方法。
【請求項１７】
前記診断サンプル移動段階は、
前記診断サンプル投入口から移動する前記診断サンプルを第１領域で前処理する前処理段階；
前記第１領域から移動する前記診断サンプルを第２領域でテストするテスト段階；及び
前記第２領域から移動する前記診断サンプルのレファレンスレベルを第３領域で確認するレファレンスレベル確認段階；を含むことを特徴とする、請求項１２に記載の診断キットの制御方法。
【請求項１８】
前記診断サンプル移動段階で、前記診断サンプル移動調節部が前記流動チャンネルの一端部を開放させ、前記診断サンプルが移動することによって、前記検出位置調整段階で、前記診断チップ移動調節部及び前記光情報検出部のうち少なくとも一つが駆動し、前記診断チップ及び前記光情報検出部のうち少なくとも一つが移動すると同時に、前記光源部及び前記センシング部が前記診断サンプルに光を照射し、前記診断サンプルの光情報をセンシングすることもでき、
前記診断サンプル移動段階で、前記診断サンプル移動調節部が前記流動チャンネルの一端部を一定時間間隔で開放及び閉鎖することによって、前記検出位置調整段階で、前記診断チップ移動調節部及び前記光情報検出部のうち少なくとも一つが駆動し、前記診断サンプルの位置によって前記診断チップ及び前記光情報検出部のうち少なくとも一つが移動及び停止し、前記光源部及び前記センシング部が前記診断サンプル及び前記診断チップの停止状態で前記診断サンプルに光を照射し、前記診断サンプルの光情報をセンシングすることもできることを特徴とする、請求項１４に記載の診断キットの制御方法。
【請求項１９】
前記診断サンプル移動段階で、前記制御部は、前記診断サンプル移動調節部の駆動を一定時間ごとに制御することによって前記診断サンプルの移動を調節することを特徴とする、請求項１４に記載の診断キットの制御方法。
【請求項２０】
前記診断サンプル移動段階で、前記制御部に前記診断サンプルの移動進行速度データが既格納されることによって、前記制御部が前記移動進行速度データに基づいて前記診断サンプル移動調節部を駆動させ、
前記検出位置調整段階で、前記制御部が前記診断チップ移動調節部及び前記光情報検出部のうち少なくともいずれか一つの駆動を一定時間ごとに制御することによって前記診断サンプル及び前記診断チップの移動を調節することを特徴とする、請求項１９に記載の診断キットの制御方法。
【請求項２１】
前記診断サンプル移動段階で、前記制御部は、前記センシング部で獲得した前記診断サンプルの光情報を基準にして前記診断サンプル移動調節部を駆動させ、
前記検出位置調整段階で、前記制御部が前記診断チップ移動調節部及び前記光情報検出部のうち少なくともいずれか一つの駆動を制御することによって前記診断サンプル及び前記診断チップの移動を調節することを特徴とする、請求項１９に記載の診断キットの制御方法。
【請求項２２】
前記診断サンプル移動段階は、前記診断サンプルの移動イメージを確認するイメージ確認部を通じて前記流動チャンネルを移動する前記診断サンプルの移動イメージを確認するイメージ確認段階を含み、
前記診断サンプル移動段階で、前記制御部は、前記イメージ確認部を通じて確認した前記診断サンプルの移動によって前記診断サンプル移動調節部を駆動させ、
前記検出位置調整段階で、前記制御部が前記診断チップ移動調節部及び前記光情報検出部のうち少なくともいずれか一つの駆動を制御することによって前記診断サンプル及び前記診断チップの移動を調節することを特徴とする、請求項１９に記載の診断キットの制御方法。
【発明の詳細な説明】
【技術分野】
【０００１】
本発明は、診断キット及びその制御方法に関し、より詳細には、診断チップの流動チャンネルを移動する診断サンプルの移動を、診断サンプル移動調節部を通じて調節すると同時に、診断サンプル移動部の駆動によって診断チップを移動させる診断チップ移動調節部を制御し、診断チップを移動させることによってより正確な疾病の診断を行えるようにする診断キット及びその制御方法に関する。
【背景技術】
【０００２】
現代人たちの期待寿命が増加すると共に、それに伴う疾病の種類も多様化することによって、疾病の予防及び診断のための多様な診断装置及び診断システムが開発されてきた。
【０００３】
その一つである診断キットは、液体サンプル、例えば、尿又は血液試料で単一又は複数の物質の存在を検査又は調査する。具体的には、現代の診断事業分野は、一つの現場検査（Ｐｏｉｎｔ−Ｏｆ−Ｃａｒｅ  Ｔｅｓｔｉｎｇ：ＰＯＣＴ）に統合されている。ＰＯＣＴは、中央化された検査室外で行われる検査であって、専門知識のない一般人も使用可能な装備を言う。現在は、病院から現場及び個人に診断領域が拡張されている趨勢である。
【０００４】
例えば、病院では、患者に対して感染に対抗するために多量の抗生物質を投与した後、少量の血液を採取し、血中に適当量の抗生物質が存在するかどうかを調査したり、認識機能が損傷した過量摂取患者や意思伝逹が不可能な乳児に対する適正な治療・投与を保証するために、人体内に摂取された薬剤の種類を迅速に調査するなどの適用例を挙げることができる。
【０００５】
特に、免疫クロマトグラフィー分析に代表される迅速診断テストは、保健医療分野で疾病を確認したり変化を把握するために使用されており、食品及び生物工程分野、環境分野などの多様な分野でも微量の分析物質を定性的及び定量的に検査する簡便な方法として開発されている。また、保健医療分野でも、妊娠、排卵、伝染性疾病、薬物濫用、急性心筋梗塞、癌などにその応用範囲が拡張されている。
【０００６】
診断キットを用いて疾病を診断する一実施例として、診断サンプルに前処理を行い、診断サンプルに光を照射した後、診断サンプルから出る光情報を基準にして疾病を診断するが、診断サンプルが診断キット内で移動する速度が速くなり、診断サンプルを前処理する時間が十分でなく、その結果、診断サンプルから出る光情報が正確でないので、疾病を判断しにくくなるという問題がある。
【０００７】
また、診断サンプルの移動によって診断サンプルの光情報を検出しなければならないので、領域当たりの単一測定で精度が低下するという問題がある。
【発明の概要】
【発明が解決しようとする課題】
【０００８】
本発明が解決しようとする課題は、診断チップの流動チャンネルを移動する診断サンプルの移動を診断サンプル移動調節部を通じて調節すると同時に、診断サンプル移動部の駆動によって診断チップを移動させる診断チップ移動調節部を制御し、診断チップを移動させることによってより正確な疾病の診断を行えるようにする診断キット及びその制御方法を提供することにある。
【課題を解決するための手段】
【０００９】
上述した課題を解決するために、本発明は、診断サンプルが移動する流動チャンネルが形成された診断チップと、前記流動チャンネルの一端部を開閉し、前記診断サンプルの移動を調節する診断サンプル移動調節部と、前記診断サンプルの光情報を検出する光情報検出部と、前記診断サンプル移動調節部及び前記光情報検出部の駆動を制御する制御部とを含み、前記光情報検出部は、前記診断サンプルに光を照射する光源部と、前記診断サンプルから検出される光情報をセンシングするセンシング部とを含み、前記診断サンプル移動調節部は、前記光情報検出部と連動し、前記診断サンプル移動調節部の駆動によって前記診断チップと前記光情報検出部とが相対運動をすることによって、前記光情報検出部が前記流動チャンネルを移動する診断サンプルの光情報を検出することを特徴とする診断キットを提供する。
【００１０】
本発明に係る診断キットにおいて、前記診断サンプル移動調節部の駆動によって、前記光情報検出部は、前記制御部の制御によって移動することによって前記診断チップと相対運動をすることができる。
【００１１】
本発明に係る診断キットにおいて、前記診断チップを移動させる診断チップ移動調節部をさらに含み、前記診断チップと前記光情報検出部との相対運動は、前記診断チップ移動調節部と前記診断サンプル移動調節部とが連動することによって行うことができる。
【００１２】
本発明に係る診断キットにおいて、前記診断サンプル移動調節部の駆動によって、前記診断チップ移動調節部は、前記制御部によって駆動し、前記診断チップを移動させることによって前記診断チップと前記光情報検出部とが相対運動をすることができる。
【００１３】
本発明に係る診断キットにおいて、前記診断サンプル移動調節部の駆動によって、前記光情報検出部と前記診断チップ移動調節部は、前記制御部によって同時に駆動し、前記診断チップ及び前記光情報検出部の移動が制御されることによって前記診断チップと前記光情報検出部とが相対運動をすることができる。
【００１４】
本発明に係る診断キットにおいて、前記診断チップは、上部プレート及び下部プレートを含み、内部に前記流動チャンネルが形成された診断チップハウジングと、前記上部プレート上に形成され、前記流動チャンネルの他端と連結され、前記診断サンプルが投入される診断サンプル投入口と、前記流動チャンネルの第１領域上に配置され、前記診断サンプル投入口から移動する前記診断サンプルを前処理する物質が形成された前処理部と、前記流動チャンネルの第２領域上に配置され、前記第１領域から移動する前記診断サンプルをテストする物質が形成されたテスト部と、前記流動チャンネルの第３領域上に配置され、前記第２領域から移動する前記診断サンプルのレファレンス物質が形成されたレファレンス部とを含んでもよい。
【００１５】
本発明に係る診断キットにおいて、前記診断サンプル移動調節部が前記流動チャンネルの一端部を開放させ、前記診断サンプルが移動することによって、前記診断チップ移動調節部及び前記光情報検出部のうち少なくとも一つが駆動し、前記診断チップ及び前記光情報検出部のうち少なくとも一つが移動すると同時に、前記光源部及び前記センシング部が前記診断サンプルに光を照射し、前記診断サンプルの光情報をセンシングすることもでき、前記診断サンプル移動調節部が前記流動チャンネルの一端部を一定時間間隔で開放及び閉鎖することによって前記診断チップ移動調節部及び前記光情報検出部のうち少なくとも一つが駆動し、前記診断サンプルの位置によって前記診断チップ及び前記光情報検出部のうち少なくとも一つが移動及び停止し、前記光源部及び前記センシング部が前記診断サンプル及び前記診断チップの停止状態で前記診断サンプルに光を照射し、前記診断サンプルの光情報をセンシングすることもできる。
【００１６】
本発明に係る診断キットにおいて、前記制御部は、前記診断サンプル移動調節部の駆動を一定時間ごとに制御することによって前記診断サンプルの移動を調節することができる。
【００１７】
本発明に係る診断キットにおいて、前記制御部に前記診断サンプルの移動進行速度データが既格納されており、前記制御部は、前記移動進行速度データに基づいて前記診断サンプル移動調節部の駆動、及び前記診断チップ移動調節部及び前記光情報検出部のうち少なくともいずれか一つの駆動を一定時間ごとに制御することによって前記診断サンプル及び前記診断チップの移動を調節することができる。
【００１８】
本発明に係る診断キットにおいて、前記制御部は、前記センシング部で獲得した前記診断サンプルの光情報を基準にして前記診断サンプル移動調節部の駆動、及び前記診断チップ移動調節部及び前記光情報検出部のうち少なくともいずれか一つの駆動を制御することによって前記診断サンプル及び前記診断チップの移動を調節することができる。
【００１９】
本発明に係る診断キットにおいて、前記診断サンプルの移動イメージを確認するイメージ確認部をさらに含み、前記制御部は、前記イメージ確認部を通じて確認した前記診断サンプルの移動によって前記診断サンプル移動調節部の駆動、及び前記診断チップ移動調節部及び前記光情報検出部のうち少なくともいずれか一つの駆動を制御することによって前記診断サンプル及び前記診断チップの移動を調節することができる。
【００２０】
また、本発明は、診断サンプル投入口を介して診断チップに形成された流動チャンネルに診断サンプルが投入される診断サンプル投入段階と、前記診断サンプルが前記流動チャンネルに沿って移動する診断サンプル移動段階と、前記診断サンプルの移動によって前記診断サンプルの光情報を検出する光情報検出部と前記診断チップとが相対運動をし、前記診断サンプルの光情報検出位置を調整する検出位置調整段階と、前記光情報検出部が前記診断サンプルの光情報を検出する光情報検出段階とを含み、前記光情報検出段階は、光源部が前記診断サンプルに光を照射する光照射段階と、センシング部が前記診断サンプルから検出される光情報をセンシングする光情報センシング段階とを含み、前記診断サンプル移動段階及び前記検出位置調整段階は制御部によって行われ、前記診断サンプル移動段階で、前記診断サンプルの移動は、前記流動チャンネルの一端部を開閉する診断サンプル移動調節部によって調節され、前記検出位置調整段階で、前記光情報検出部は、前記診断サンプル移動調節部と連動し、前記診断サンプル移動調節部の駆動によって制御されることを特徴とする診断キットの制御方法を提供する。
【００２１】
本発明に係る診断キットの制御方法において、前記検出位置調整段階で、前記光情報検出部は、前記診断サンプル移動調節部の駆動による前記制御部の制御によって移動することによって前記診断チップと相対運動をすることができる。
【００２２】
本発明に係る診断キットの制御方法において、前記検出位置調整段階は、前記診断チップを移動させる診断チップ移動調節部が前記診断チップを移動させる診断チップ移動段階を含み、前記検出位置調整段階で、前記診断チップと前記光情報検出部との相対運動は、前記診断チップ移動調節部と前記診断サンプル移動調節部とが連動することによって行うことができる。
【００２３】
本発明に係る診断キットの制御方法において、前記検出位置調整段階で、前記診断チップ移動調節部は、前記診断サンプル移動調節部の駆動による前記制御部の制御によって駆動し、前記診断チップを移動させることによって前記診断チップと前記光情報検出部とが相対運動をすることができる。
【００２４】
本発明に係る診断キットの制御方法において、前記検出位置調整段階で、前記光情報検出部と前記診断チップ移動調節部は、前記診断サンプル移動調節部の駆動による前記制御部の制御によって同時に駆動し、前記診断チップ及び前記光情報検出部の移動が制御されることによって前記診断チップと前記光情報検出部とが相対運動をすることができる。
【００２５】
本発明に係る診断キットの制御方法において、前記診断サンプル移動段階は、前記診断サンプル投入口から移動する前記診断サンプルを第１領域で前処理する前処理段階と、前記第１領域から移動する前記診断サンプルを第２領域でテストするテスト段階と、前記第２領域から移動する前記診断サンプルのレファレンスレベルを第３領域で確認するレファレンスレベル確認段階とを含んでもよい。
【００２６】
本発明に係る診断キットの制御方法において、前記診断サンプル移動段階で、前記診断サンプル移動調節部が前記流動チャンネルの一端部を開放させ、前記診断サンプルが移動することによって、前記検出位置調整段階で、前記診断チップ移動調節部及び前記光情報検出部のうち少なくとも一つが駆動し、前記診断チップ及び前記光情報検出部のうち少なくとも一つが移動すると同時に、前記光源部及び前記センシング部が前記診断サンプルに光を照射し、前記診断サンプルの光情報をセンシングすることもでき、前記診断サンプル移動段階で、前記診断サンプル移動調節部が前記流動チャンネルの一端部を一定時間間隔で開放及び閉鎖することによって、前記検出位置調整段階で、前記診断チップ移動調節部及び前記光情報検出部のうち少なくとも一つが駆動し、前記診断サンプルの位置によって前記診断チップ及び前記光情報検出部のうち少なくとも一つが移動及び停止し、前記光源部及び前記センシング部が前記診断サンプル及び前記診断チップの停止状態で前記診断サンプルに光を照射し、前記診断サンプルの光情報をセンシングすることもできる。
【００２７】
本発明に係る診断キットの制御方法において、前記診断サンプル移動段階で、前記制御部は、前記診断サンプル移動調節部の駆動を一定時間ごとに制御することによって前記診断サンプルの移動を調節することができる。
【００２８】
本発明に係る診断キットの制御方法において、前記診断サンプル移動段階で、前記制御部に前記診断サンプルの移動進行速度データが既格納されることによって、前記制御部が前記移動進行速度データに基づいて前記診断サンプル移動調節部を駆動させ、前記検出位置調整段階で、前記制御部が前記診断チップ移動調節部及び前記光情報検出部のうち少なくともいずれか一つの駆動を一定時間ごとに制御することによって、前記診断サンプル及び前記診断チップの移動を調節することができる。
【００２９】
本発明に係る診断キットの制御方法において、前記診断サンプル移動段階で、前記制御部は、前記センシング部で獲得した前記診断サンプルの光情報を基準にして前記診断サンプル移動調節部を駆動させ、前記検出位置調整段階で、前記制御部が前記診断チップ移動調節部及び前記光情報検出部のうち少なくともいずれか一つの駆動を制御することによって前記診断サンプル及び前記診断チップの移動を調節することができる。
【００３０】
本発明に係る診断キットの制御方法において、前記診断サンプル移動段階は、前記診断サンプルの移動イメージを確認するイメージ確認部を通じて前記流動チャンネルを移動する前記診断サンプルの移動イメージを確認するイメージ確認段階を含み、前記診断サンプル移動段階で、前記制御部は、前記イメージ確認部を通じて確認した前記診断サンプルの移動によって前記診断サンプル移動調節部を駆動させ、前記検出位置調整段階で、前記制御部が前記診断チップ移動調節部及び前記光情報検出部のうち少なくともいずれか一つの駆動を制御することによって前記診断サンプル及び前記診断チップの移動を調節することができる。
【発明の効果】
【００３１】
本発明に係る診断キットは、次のような効果を有する。
【００３２】
第一、診断チップ移動調節部は診断サンプル移動調節部と連動し、診断サンプル移動調節部の駆動によって制御されることによって、診断チップ移動調節部の制御のための追加的な装置及び過程が省略されるので、より簡便に疾病の診断を行えるという利点がある。
【００３３】
第二、診断サンプル移動調節部が流動チャンネル開閉部を一定時間間隔で開放及び閉鎖することによって、流動チャンネルの内部を移動する診断サンプルを移動及び停止できるようになり、診断サンプルの停止位置によって診断サンプルがサンプルバッファー部、前処理部、テスト部及びレファレンス部に形成された物質と十分に反応できるようになるので、より正確な疾病の診断を行えるという利点がある。
【００３４】
第三、診断サンプル移動調節部が流動チャンネル開閉部を一定時間間隔で開放及び閉鎖することによって、流動チャンネルの内部を移動する診断サンプルを移動及び停止できるようになり、診断サンプルが停止した状態であるとき、光源部及びセンシング部を通じて同一の位置にある診断サンプルの色相情報を複数回測定できるようになり、診断サンプルから獲得する色相情報をより正確に判断できるようになるので、疾病の診断を正確に行えるという利点がある。
【図面の簡単な説明】
【００３５】
【図１】本発明に係る診断キットの一実施例を概略的に示した図である。
【図２】図１の診断キットの診断チップ、光源部及びセンシング部の位置関係を概略的に示した図である。
【図３】図２の診断キットの流動チャンネル上に形成されるサンプルバッファー部、前処理部、テスト部及びレファレンス部を示した図である。
【図４】図２の診断キットの断面図である。
【図５】図２の診断キットの診断サンプル移動調節部の駆動による流動チャンネル内での診断サンプルの移動及び、診断チップと光情報検出部との相対運動を概略的に示した図である。
【図６】図２の診断キットの診断サンプル移動調節部の駆動による流動チャンネル内での診断サンプルの移動及び、診断チップと光情報検出部との相対運動を概略的に示した図である。
【図７】本発明に係る診断キットの流動チャンネルの配置変化を概略的に示した図である。
【図８】本発明に係る診断キットの制御部が診断サンプルの移動を制御する第１実施例を示した図である。
【図９】本発明に係る診断キットの制御部が診断サンプルの移動を制御する第２実施例を示した図である。
【図１０】本発明に係る診断キットの制御部が診断サンプルの移動を制御する第３実施例を示した図である。
【図１１】本発明に係る診断キットの制御方法のブロック図である。
【発明を実施するための形態】
【００３６】
以下、上述した解決しようとする課題が具体的に実現され得る本発明の好適な各実施例を添付の図面を参照して説明する。本実施例を説明するにおいて、同一の構成に対しては同一の名称及び同一の符号を付し、これによる付加的な説明は下記で省略する。
【００３７】
以下、図１〜図６を参照して本発明に係る診断キットの一実施例を説明する。
【００３８】
図１〜図６に示したように、本発明に係る診断キットは、本体５００、診断チップ、診断サンプル移動調節部２００、診断チップ移動調節部（図示せず）、光情報検出部、制御部（図示せず）及びイメージ確認部６００を含む。
【００３９】
前記本体５００の内部には、前記診断サンプル移動調節部２００、前記診断チップ移動調節部、前記光情報検出部、前記制御部及び前記イメージ確認部６００が位置し、前記本体５００に形成された診断チップ挿入部５１０に前記診断チップが挿入され、後述する前記光情報検出部３００、４００は、図２に示したように、前記診断チップの上部に位置し、その他の構成の位置関係は後で説明する。
【００４０】
前記診断チップは、内部に診断サンプルＳが移動する流動チャンネル１２１が形成されており、前記診断チップ移動調節部によって移動する。具体的には、前記診断チップは、診断チップハウジング１００、診断サンプル投入口１１１、サンプルバッファー部１２２、前処理部１２３、テスト部１２４及びレファレンス部１２５を含む。
【００４１】
前記診断チップハウジング１００は、上部プレート１１０及び下部プレート１２０を含み、内部に前記流動チャンネル１２１が形成されている。
【００４２】
前記上部プレート１１０は前記下部プレート１２０の上面と結合され、前記上部プレート１１０には、診断サンプル投入口１１１及び流動チャンネル開閉部（図示せず）が形成されている。
【００４３】
前記診断サンプル投入口１１１は、前記上部プレート１１０上に形成されており、前記流動チャンネル１２１の他端と連結され、前記診断サンプルＳが前記診断サンプル投入口１１１を介して前記流動チャンネル１２１に移動できるようにし、流動チャンネル開閉部は、前記流動チャンネル１２１の一端に、後述する前記診断サンプル移動調節部２００が結合及び解除されるように形成される。
【００４４】
前記上部プレート１１０は透明な材質で構成されることが好ましい。これは、前記光情報検出部が診断サンプルＳから光情報を検出できるようにし、これによって、診断サンプルＳが外部に露出しない状態で疾病の診断を円滑に進行できるようにするためである。
【００４５】
ここで、前記光情報検出部が検出する前記光情報は、前記診断サンプルの発色量、発光量及び蛍光量などを含む光の光量、光の波長、光の偏光などを含み、前記光情報は、これに限定されることなく、前記診断サンプルが後述するサンプルバッファー部、前処理部、テスト部及びレファレンス部を移動し、前記診断サンプルに光が照射されることによって検出可能な情報を含む。
【００４６】
前記光情報検出部は、前記診断サンプルに光を照射する光源部３００と、前記診断サンプルから検出される光情報をセンシングするセンシング部４００とを含む。
【００４７】
前記下部プレート１２０は、前記上部プレート１１０の下面と結合され、前記診断サンプルＳと反応せず、前記診断サンプルＳに影響を与えない材質で形成される。また、前記下部プレート１２０の上面には、前記診断サンプルＳが移動する前記流動チャンネル１２１が形成されている。
【００４８】
前記サンプルバッファー部１２２は、前記流動チャンネル１２１の第０領域、すなわち、前記流動チャンネル１２１のうち前記診断サンプル投入口１１１に対応する位置に形成されている。前記サンプルバッファー部１２２には、前記診断サンプルＳを安定化させるサンプルバッファー物質が形成されており、前記診断サンプルＳの種類に応じて複数のサンプルバッファー部１２２が形成されてもよく、前記サンプルバッファー物質は、診断サンプルＳの種類及びターゲット物質によって変更可能である。
【００４９】
前記前処理部１２３は、前記流動チャンネル１２１の第１領域、すなわち、前記流動チャンネル１２１のうち前記第０領域から前記診断サンプルＳの移動方向に対して後端に形成されている。
【００５０】
前記前処理部１２３には、前記診断サンプル投入口１１１から投入され、前記第０領域でバッファー処理されて移動する前記診断サンプルＳを前処理する前処理物質が形成されており、前記診断サンプルＳの種類に応じて、前記前処理部１２３は複数形成されてもよく、前記前処理物質は、前記診断サンプルＳの種類及びターゲット物質によって変更可能である。
【００５１】
前記テスト部１２４は、前記流動チャンネル１２１の第２領域、すなわち、前記流動チャンネル１２１のうち前記第１領域から前記診断サンプルＳの移動方向に対して後端に形成されている。
【００５２】
前記テスト部１２４には、前記第２領域で前処理されて移動する前記診断サンプルＳをテストするテスト物質が形成されており、前記テスト部１２４を通過した前記診断サンプルＳに光を照射し、前記診断サンプルＳが発光する光情報によって疾病の診断を行えるようになる。
【００５３】
前記テスト部１２４は、前記診断サンプルＳの種類に応じて複数形成されてもよく、前記テスト物質は、前記診断サンプルＳの種類及びターゲット物質によって変更可能である。
【００５４】
前記レファレンス部１２５は、前記流動チャンネル１２１の第３領域、すなわち、前記流動チャンネル１２１のうち前記第２領域から前記診断サンプルＳの移動方向に対して後端に形成されている。
【００５５】
前記レファレンス部１２５には、前記第３領域で疾病を診断するテストを通過した前記診断サンプルＳのレファレンスレベルを確認するレファレンス物質が形成されており、前記レファレンス部１２５を通過した前記診断サンプルＳに光を照射し、前記診断サンプルＳが発光する光情報によって前記診断サンプルＳのレファレンスレベルを確認できるようになる。
【００５６】
前記レファレンス部１２５は、前記診断サンプルＳの種類に応じて複数形成されてもよく、前記レファレンス物質は、前記診断サンプルＳの種類及びターゲット物質によって変更可能である。
【００５７】
前記診断チップ移動調節部は、前記本体５００内に位置し、プレート形状に形成されて前記診断チップの下部と結合され、前記診断チップ移動調節部は、前記診断サンプル移動調節部の駆動による前記制御部の制御によって移動することによって、結果的に前記診断チップを移動させる。
【００５８】
勿論、前記診断チップ移動調節部の構成は、これに限定されることなく、前記診断チップを移送する構成であればいずれも可能である。
【００５９】
具体的に、前記診断チップ移動調節部は、前記診断チップに形成された流動チャンネル１２１内での前記診断サンプルＳの移動、すなわち、前記診断サンプル移動調節部２００の駆動によって前記診断チップを移動させ、前記診断チップの移動方向は前記診断サンプルＳの移動方向に対して平行であり、前記診断サンプルＳの移動による前記診断チップ移動調節部の駆動については後で説明する。
【００６０】
前記診断サンプル移動調節部２００は、前記流動チャンネル１２１の一端部、すなわち、流動チャンネル開閉部を開閉することによって前記診断サンプルＳの移動を調節し、前記流動チャンネル開閉部の開閉によって前記診断サンプルＳの診断方法を変えてもよい。
【００６１】
例えば、前記診断サンプル移動調節部２００が前記流動チャンネル１２１の一端部を開放させると、前記診断サンプルＳの移動によって前記診断チップ移動調節部が駆動し、前記診断チップが連続的に移動する。このとき、前記診断チップの移動方向は、前記診断サンプルＳの移動方向と反対方向である。
【００６２】
併せて、前記光源部３００及び前記センシング部４００は、前記流動チャンネルを移動する前記診断サンプルＳに連続的に光を照射し、前記診断サンプルＳの光情報をセンシングすることができる。
【００６３】
このとき、前記診断サンプルＳの移動が先に行われ、続いて前記診断チップが移動することが好ましく、これは、前記診断サンプルＳが前記サンプルバッファー部１２２、前記前処理部１２３、前記テスト部１２４及び前記レファレンス部１２５で十分に反応した後、前記診断サンプルＳの光情報をセンシングすることによってより正確な光情報を確認できるようにするためである。
【００６４】
又は、前記診断サンプル移動調節部２００が前記流動チャンネル１２１の一端部を一定時間間隔で開放及び閉鎖することによって、前記診断サンプルＳの位置によって前記診断チップ移動調節部が駆動し、前記診断チップが移動及び停止する。このとき、前記診断チップの移動方向は、前記診断サンプルＳの移動方向と反対方向である。
【００６５】
このとき、前記光源部３００及び前記センシング部４００は、停止状態にある前記診断サンプルＳに光を照射し、前記診断サンプルＳの光情報をセンシングし、センシングが完了した後、前記診断サンプル移動調節部２００は、前記流動チャンネル開閉部を開放させることによって前記診断サンプルＳを移動させると同時に、前記診断チップの移動が行われる。
【００６６】
上述したように、前記診断サンプルＳの光情報センシングは、前記流動チャンネル開閉部を開閉することなく連続的に行うこともでき、前記流動チャンネル開閉部を前記診断サンプル移動調節部２００が一時的に閉鎖することによって前記診断サンプルＳの移動を停止させ、前記診断サンプルＳの光情報センシングを複数回測定することもできる。これは、前記診断サンプルＳの種類及び診断タイプによって選択的に使用可能である。
【００６７】
以下では、図５〜図６を参照して、本発明に係る診断サンプル移動調節部２００の駆動による前記流動チャンネル内での診断サンプルの移動、及びこれによる前記診断サンプル移動調節部と連動した診断チップ及び前記光情報検出部の移動を説明する。
【００６８】
まず、図５の（ａ）に示したように、前記診断サンプル移動調節部２００が前記流動チャンネル開閉部を開放させる場合は、前記流動チャンネル１２１に沿って前記診断サンプルＳが他端から一端に移動する。
【００６９】
このとき、前記診断サンプル移動調節部と連動した前記光情報検出部の移動が前記診断サンプル移動調節部の駆動によって制御されることによって、前記センシング部が前記流動チャンネルを移動する前記診断サンプルの光情報をセンシングする。
【００７０】
すなわち、前記光源部３００及び前記センシング部４００を、センシングしようとする位置にある診断サンプルＳの上部に移動させることによって、前記診断サンプルＳの光情報をセンシングできるようにする。
【００７１】
又は、図５の（ｂ）に示したように、前記診断サンプル移動調節部が前記流動チャンネル開閉部を開放させる場合は、前記流動チャンネル１２１に沿って前記診断サンプルＳが他端から一端に移動し、このとき、前記診断チップ移動調節部が駆動し、前記診断チップを前記診断サンプルＳの移動方向と反対方向に移動させる。
【００７２】
これによって、前記光源部３００及び前記センシング部４００は、センシングしようとする位置に配置された前記診断サンプルＳに光を照射し、前記診断サンプルＳの光情報をセンシングする。
【００７３】
又は、図５の（ｃ）に示したように、前記診断サンプル移動調節部２００が前記流動チャンネル開閉部を開放させる場合は、前記流動チャンネル１２１に沿って前記診断サンプルＳが他端から一端に移動する。
【００７４】
このとき、前記診断サンプル移動調節部２００の駆動によって前記光情報検出部と前記診断チップ移動調節部が同時に駆動し、前記光情報検出部と前記診断チップの移動が制御されることによって、前記センシング部は、前記流動チャンネルを移動する前記診断サンプルの光情報をセンシングする。
【００７５】
又は、図５の（ｄ）及び図６に示したように、前記診断サンプル移動調節部２００が前記流動チャンネル開閉部を閉鎖させる場合は、前記流動チャンネル１２１に沿って移動していた前記診断サンプルＳが停止すると同時に、前記診断チップが停止し、前記光源部３００は停止した前記診断サンプルＳに光を照射し、前記センシング部４００は前記診断サンプルＳの光情報をセンシングする。
【００７６】
このような過程を通じて、図６の（ａ）に示したように、前記診断サンプルＳを前記第２領域、すなわち、前記テスト部１２４の位置で停止させ、前記光源部３００及び前記センシング部４００は、前記診断サンプルＳに光を照射し、前記診断サンプルＳの光情報をセンシングする。これを図６の（ｃ）のＩｔ値として定義する。
【００７７】
また、図６の（ｂ）に示したように、前記診断サンプルＳを前記第３領域、すなわち、前記レファレンス部１２５の位置で停止させ、前記光源部３００及び前記センシング部４００は、前記診断サンプルＳに光を照射し、前記診断サンプルＳの光情報をセンシングする。これを図６の（ｃ）のＩｒ値として定義する。
【００７８】
前記Ｉｔ値は、前記診断サンプルＳを通じて検出しようとする疾病を診断するための検出物質を通じて定義された値で、前記Ｉｒ値は、前記診断サンプルＳのレファレンスレベルで定義された値で、本図面での光情報は光の強度を意味する。
【００７９】
前記Ｉｔ値とＩｒ値をＩｔ／Ｉｒで計算することによって診断サンプルＳの疾病の診断を行えるようにする。
【００８０】
上述したように、前記診断チップ移動調節部及び前記光情報検出部は、前記診断サンプル移動調節部２００と連動し、前記診断サンプル移動調節部２００の駆動によって制御されることによって前記診断チップ及び光情報検出部の移動のための追加的な装置及び過程が省略されるので、より簡便に疾病の診断を行えるようになる。
【００８１】
また、前記流動チャンネル１２１内の前記診断サンプルＳを停止させ、前記光源部３００及び前記センシング部４００を通じて同一の位置及び状態にある診断サンプルＳを複数回測定できるようになるので、検出しようとする物質から発現される光情報をより正確にセンシングできるようになる。
【００８２】
また、前記流動チャンネル１２１内の前記診断サンプルＳを停止させる過程を行えるようになり、前記診断サンプルＳが前記前処理部１２３で十分に前処理できるようにする。
【００８３】
前記制御部は、前記診断サンプル移動調節部２００の駆動を制御すると同時に、前記診断チップ移動調節部及び前記光情報検出部の駆動を制御することによって、前記診断サンプルＳの移動のみならず、前記診断チップ及び前記光情報検出部の移動を調節できるようになる。
【００８４】
以下では、図８〜図１０を参照して、本発明に係る診断キットの制御部による診断サンプル移動調節部２００及び診断チップ移動調節部が作動する実施例を説明する。
【００８５】
本発明に係る診断キットの制御部が診断サンプルの移動を制御する第１実施例においては、図８に示したように、前記制御部は、前記診断サンプル移動調節部２００の駆動を一定時間（Ｓ１）ごとに制御することによって前記診断サンプルの移動を調節することができる。
【００８６】
例えば、前記診断サンプル移動調節部２００が１秒ごとに前記流動チャンネル開閉部を開閉することによって、前記流動チャンネル１２１内で前記診断サンプルＳが１秒ごとに移動及び停止し、前記診断チップ移動調節部が１秒ごとに前記診断チップの移動と停止を同時に進行し、結果的に、前記診断サンプルＳ及び前記診断チップが１秒ごとに停止し、前記診断サンプルＳの光情報をセンシングできるようにする。
【００８７】
すなわち、前記診断サンプル移動調節部２００が前記流動チャンネル開閉部を一定時間間隔で開放及び閉鎖させることによって前記診断サンプルＳを移動及び停止させ、前記診断サンプルＳが移動した後で停止した状態、すなわち、前記診断サンプルＳに対して前記サンプルバッファー部１２２、前記前処理部１２３、前記テスト部１２４又は前記レファレンス部１２５で十分に反応が起こった後、前記診断チップが一定時間ごとに移動しながら、停止した前記診断サンプルＳの光情報を前記光源部３００及び前記センシング部４００を通じてセンシングし、これは、前記制御部でセッティングされた一定時間ごとに行われる。
【００８８】
勿論、前記制御部は、前記診断サンプルＳに対する情報の入力を受け、前記診断サンプルＳの移動進行速度に基づいて前記診断サンプル移動調節部２００及び前記診断チップ移動調節部を一定時間ごとに駆動及び停止させることによって前記診断サンプルＳと前記診断チップの移動を調節することもできる。
【００８９】
すなわち、粘度及び密度のように前記診断サンプルＳの移動速度に影響を与えるデータ値を制御部に既格納したり、又は前記診断サンプルＳの移動速度データを制御部に既格納し、前記制御部は、前記診断サンプルＳの移動速度で前記診断サンプル移動調節部２００の駆動を制御することによって前記診断サンプルの移動を調節することができる。
【００９０】
本発明に係る診断キットの制御部が診断サンプルの移動を制御する第２実施例においては、図９に示したように、前記センシング部で獲得した前記診断サンプルＳの光情報を基準にして、制御部が前記診断サンプル移動調節部２００の駆動を制御することもできる。
【００９１】
すなわち、前記前処理部１２３、前記テスト部１２４及び前記レファレンス部１２５を通過しながら前記診断サンプルＳが発生させるそれぞれの光情報を前記制御部に既格納された平均的な診断サンプルＳの光情報と比較することによって、前記診断サンプルが流動チャンネル１２１内での進行程度を把握し、これを通じて、前記制御部は、前記診断サンプル移動調節部２００の駆動を制御することによって前記診断サンプルＳの移動を調節することができる。
【００９２】
例えば、前記テスト部１２４を通過した前記診断サンプルＳの光情報が前記センシング部４００によってセンシングされる場合、前記流動チャンネル開閉部を閉鎖していた前記診断サンプル移動調節部２００は、前記流動チャンネル開閉部を開放させることによって前記診断サンプルＳを移動させ、前記診断チップ移動調節部は、前記診断チップを移動させ、次の光情報がセンシングされる位置、本明細書では、前記光源部３００と前記センシング部４００が前記レファレンス部１２５の後端に位置するように前記診断チップを移動させて配置し、その後進行する前記診断サンプルＳの移動による光情報センシングを行えるようにする。
【００９３】
本発明に係る診断キットの制御部が診断サンプルの移動を制御する第３実施例においては、図１０に示したように、前記制御部は、前記イメージ確認部６００を通じて確認した前記診断サンプルＳの移動によって前記診断サンプル移動調節部２００及び診断チップ移動調節部の駆動を制御することによって前記診断サンプル及び診断チップの移動を調節することができる。
【００９４】
具体的に、前記イメージ確認部６００は、前記流動チャンネル１２１を移動する前記診断サンプルＳの移動を確認し、その結果、前記イメージ確認部を通じて確認した前記診断サンプルＳの移動によって前記制御部を通じて前記診断サンプル移動調節部２００の駆動を制御することによって前記診断サンプルＳの移動を調節することができる。
【００９５】
例えば、前記診断サンプルＳが前記テスト部１２４を通過する位置に移動することを前記イメージ確認部６００が確認する場合、前記診断サンプル移動調節部２００は、前記流動チャンネル開閉部を一定時間にわたって閉鎖してから、前記テスト部で光情報センシングが十分に行われた後で前記流動チャンネル開閉部を開放し、前記診断サンプルＳの移動を再開できるようにする。
【００９６】
併せて、前記診断チップ移動調節部は、前記診断チップを移動させ、その後進行する前記診断サンプルＳの移動による光情報センシングを行えるようにする。
【００９７】
上述したように、前記流動チャンネル１２１内の前記診断サンプルＳを停止できるようになり、その結果、前記サンプルバッファー部１２２及び前記前処理部１２３で前記診断サンプルＳが十分に反応できるだけでなく、前記診断サンプルＳが停止するとき、前記光源部３００及び前記センシング部４００を通じて同一の状態の診断サンプルＳを複数回測定できるようになるので、検出しようとする物質及び物質から検出される光情報をより正確にセンシングできるようになる。
【００９８】
勿論、本発明に係る第１実施例〜第３実施例は、上述した診断サンプル移動調節部２００の移動によって診断チップ移動調節部が制御される場合のみならず、診断サンプル移動調節部２００の移動によって前記光情報検出部が制御される場合、及び診断サンプル移動調節部２００の移動によって前記診断チップ移動調節部及び前記光情報検出部が同時に制御される場合にも適用可能であり、これに対する詳細な説明は省略する。
【００９９】
以下では、図７を参照して、本発明に係る診断キットの流動チャンネルの配置変化を説明する。
【０１００】
図７に示した流動チャンネルが上部プレート１１０及び下部プレート１２０によって形成される内容は、上述した本発明に係る診断キットの一実施例と同一であるので、これに対する詳細な説明は省略する。
【０１０１】
但し、下部プレート１２０は、第１流動チャンネル１２１ａ及び第２流動チャンネル１２１ｂを含み、上部プレート１１０は、第１診断サンプル投入口（図示せず）及び第２診断サンプル投入口（図示せず）を含む。
【０１０２】
具体的に、前記第１流動チャンネル１２１ａ及び第２流動チャンネル１２１ｂは、図７に示したように、独立的な流路を形成しており、前記第１診断サンプル投入口及び前記第２診断サンプル投入口は、それぞれ前記第１流動チャンネル１２１ａ及び第２流動チャンネル１２１ｂの他端と連結されており、それぞれの診断サンプルは、前記第１診断サンプル投入口及び前記第２診断サンプル投入口を介して前記第１流動チャンネル１２１ａ及び前記第２流動チャンネル１２１ｂに移動できるようにする。
【０１０３】
前記第１流動チャンネル１２１ａには、第１サンプルバッファー部１２２ａ、第１前処理部１２３ａ、第１テスト部１２４ａ及び第１レファレンス部１２５ａが形成されており、これに対する詳細な説明は、上述した本発明に係る診断キットの一実施例と同一であるので省略する。
【０１０４】
また、前記第２流動チャンネル１２１ｂは、前記第１流動チャンネル１２１ａと同一の構成を有し、これに対する説明は省略する。
【０１０５】
前記第１流動チャンネル１２１ａ及び前記第２流動チャンネル１２１ｂが前記下部プレート１２０に独立的に形成され、それぞれの診断サンプルが移動することによって、前記第１流動チャンネル１２１ａを移動する診断サンプルに光を照射する第１光源部３００ａ、及び前記診断サンプルの光情報をセンシングする第１センシング部４００ａを含み、前記第２流動チャンネル１２１ｂを移動する診断サンプルに光を照射する第２光源部３００ｂ、及び前記診断サンプルの光情報をセンシングする第２センシング部４００ｂを含む。
【０１０６】
前記第１光源部３００ａ及び前記第２光源部３００ｂは、上述した本発明に係る診断キットの一実施例の光源部３００と同一であり、前記第１センシング部４００ａ及び前記第２センシング部４００ｂは、上述した本発明に係る診断キットの一実施例のセンシング部４００と同一であるので、これに対する詳細な説明は省略する。
【０１０７】
以下では、図１１を参照して本発明に係る診断キットの制御方法を説明する。
【０１０８】
図１１に示したように、本発明に係る診断キットの制御方法は、診断サンプル投入段階（Ｓ１００）、診断サンプル移動段階（Ｓ２００）、検出位置調整段階（Ｓ３００）及び光情報検出段階（Ｓ４００）を含む。
【０１０９】
前記診断サンプル投入段階（Ｓ１００）では、前記診断サンプル投入口１１１を介して前記診断チップハウジングに形成された前記流動チャンネル１２１に診断サンプルが投入される。
【０１１０】
前記診断サンプル移動段階（Ｓ２００）は、前記診断サンプル投入段階（Ｓ１００）で前記流動チャンネル１２１に投入された前記診断サンプルが移動する段階であって、具体的に、前記診断サンプル移動段階（Ｓ２００）は、診断サンプルバッファー段階（Ｓ２１０）、前処理段階（Ｓ２２０）、テスト段階（Ｓ２３０）、レファレンスレベル確認段階（Ｓ２４０）及びイメージ確認段階を含む。
【０１１１】
前記診断サンプルバッファー段階（Ｓ２１０）では、前記流動チャンネル１２１の第０領域、すなわち、前記流動チャンネル１２１のうち前記診断サンプル投入口１１１に対応する位置に形成された前記サンプルバッファー部１２２によって前記診断サンプルが安定化される。
【０１１２】
前記前処理段階（Ｓ２２０）では、前記流動チャンネル１２１の第１領域、すなわち、前記流動チャンネル１２１のうち前記第０領域から前記診断サンプルＳの移動方向に対して後端に形成された前記前処理部１２３によって前記診断サンプルＳが前処理される。
【０１１３】
前記テスト段階（Ｓ２３０）では、前記流動チャンネル１２１の第２領域、すなわち、前記流動チャンネル１２１のうち前記第１領域から前記診断サンプルＳの移動方向に対して後端に形成された前記テスト部１２４を通過して移動することによって前記診断サンプルＳに光を照射し、前記診断サンプルＳが発光する光情報によって疾病の診断を行えるようにする。
【０１１４】
前記レファレンスレベル確認段階（Ｓ２４０）では、前記流動チャンネル１２１の第３領域、すなわち、前記流動チャンネル１２１のうち前記第２領域から前記診断サンプルＳの移動方向に対して後端に形成されたレファレンス部１２５を通過して移動することによって前記診断サンプルＳに光を照射し、前記診断サンプルＳが発光する光情報によって前記診断サンプルＳのレファレンスレベルを確認できるようにする。
【０１１５】
このとき、診断サンプルの移動は、前記流動チャンネル１２１の一端部を開閉する診断サンプル移動調節部２００によって調節される。
【０１１６】
前記診断サンプル移動段階では、前記流動チャンネル１２１を移動する診断サンプルのイメージを前記イメージ確認部６００を通じて確認する。
【０１１７】
前記検出位置調整段階（Ｓ３００）では、前記診断サンプルＳの移動によって前記光情報検出部と前記診断チップとが相対運動をすることによって前記診断サンプルＳの光情報検出位置を調整する。
【０１１８】
具体的に、前記検出位置調整段階（Ｓ３００）は次のように行うことができる。
【０１１９】
第一、前記検出位置調整段階（Ｓ３００）では、前記診断サンプル移動調節部２００の駆動によって前記光情報検出部の移動を制御することによって前記診断サンプルＳの光情報検出位置を調整することができる。
【０１２０】
第二、前記検出位置調整段階（Ｓ３００）は、前記診断チップ移動調節部２００が前記診断チップを移動させる診断チップ移動段階を含み、前記検出位置調整段階（Ｓ３００）では、前記診断サンプル移動調節部２００の駆動によって前記診断チップ移動調節部が駆動し、前記診断チップの移動を制御することによって診断サンプルＳの光情報検出位置を調整することができる。
【０１２１】
第三、前記検出位置調整段階（Ｓ３００）は、前記診断チップ移動調節部２００が前記診断チップを移動させる診断チップ移動段階を含み、前記検出位置調整段階（Ｓ３００）では、前記診断サンプル移動調節部２００の駆動によって前記光情報検出部と前記診断チップ移動調節部が同時に駆動し、前記光情報検出部と前記診断チップの移動を制御することによって診断サンプルＳの光情報検出位置を調整することができる。
【０１２２】
前記光情報検出段階（Ｓ４００）では、前記光情報検出部が前記診断サンプルの光情報を検出し、前記光情報検出段階（Ｓ４００）は、具体的に、光照射段階（Ｓ４１０）及び光情報センシング段階（Ｓ４２０）を含む。
【０１２３】
前記光照射段階（Ｓ４１０）では、前記診断サンプルＳに光を照射し、前記光情報センシング段階（Ｓ４２０）は、前記診断サンプルＳから検出される光情報をセンシングし、前記前処理段階（Ｓ２２０）、前記テスト段階（Ｓ２３０）及び前記レファレンスレベル確認段階（Ｓ２４０）は、前記光照射段階（Ｓ４１０）及び前記光情報センシング段階（Ｓ４２０）と同時に進行される。
【０１２４】
本発明に係る診断キットの制御方法において、診断サンプル投入段階（Ｓ１００）、診断サンプル移動段階（Ｓ２００）、検出位置調整段階（Ｓ３００）及び光情報検出段階（Ｓ４００）以外の詳細な内容は、上述した本発明に係る診断キットと同一であるので、これに対する詳細な説明は省略する。
【０１２５】
以上説明したように、本発明は、上述した特定の好ましい実施例に限定されるものではなく、特許請求の範囲で請求する本発明の要旨を逸脱することなく当該発明の属する技術分野で通常の知識を有する者によって、多様な変形の実施が可能であり、このような変形は本発明の範囲に属する。
【産業上の利用可能性】
【０１２６】
本発明は、保健医療分野でも妊娠、排卵、伝染性疾病、薬物濫用、急性心筋梗塞、癌などを確認するための免疫クロマトグラフィー分析などに使用される診断チップの流動チャンネルを移動する診断サンプルの移動を診断サンプル移動調節部を通じて調節すると同時に、診断サンプル移動部の駆動によって診断チップを移動させる診断チップ移動調節部を制御し、診断チップを移動させることによってより正確な疾病の診断を行えるようにする診断キットに適用可能である。
【図１】
0006737541.tif 000002
【図２】
0006737541.tif 000003
【図３】
0006737541.tif 000004
【図４】
0006737541.tif 000005
【図５】
0006737541.tif 000006
【図６】
0006737541.tif 000007
【図７】
0006737541.tif 000008
【図８】
0006737541.tif 000009
【図９】
0006737541.tif 000010
【図１０】
0006737541.tif 000011
【図１１】
0006737541.tif 000012